(57)【要約】      （修正有）【課題】ニッパータイプの爪切りにおいて、その利便性を損なうことなく、さらに爪の甘皮も処理できる機能を付加した爪切りを提供する。【解決手段】２部材を一対とした爪を切断する刃部２ａ、２ｂと、これら刃部の各々に連続的に設けられてここで両者が交差する可動部３ａ、３ｂと、各々の可動部同士を回動させる軸部４と、可動部の各々に連続的に設けられて刃部による爪の切断操作を行う把持部５ａ、５ｂとから構成された爪切りにおいて、操作部の一方又は両方に、ネイルプッシャー５Ａを形成した。操作のために握る部分にネイルプッシャーを設けることで、甘皮処理が、持ちやすくかつ操作しやすい状態で行うことができる。【選択図】図１
0003230278.tif 000002
【実用新案登録請求の範囲】
【請求項１】
２部材を一対とした爪を切断する刃部と、これら刃部の各々に連続的に設けられてここで両者が交差する可動部と、各々の前記可動部同士を回動させる軸部と、前記可動部の各々に連続的に設けられて前記刃部による爪の切断操作を行う把持部とから構成された爪切りにおいて、操作部の一方又は両方にネイルプッシャーを形成したことを特徴とする爪切り。
【考案の詳細な説明】
【技術分野】
【０００１】  本考案は、利便性を損なうことなく、さらに甘皮の処理機能を付したニッパータイプの爪切りに関するものである。
【背景技術】
【０００２】  例えば特許文献１（特開２０２０−１３０８２４号公報）には、いわゆるニッパータイプの爪切りが提案されている。ニッパータイプの爪切りは、従来の上下の刃が、該刃の幅方向を同時に開閉させる爪切りと比べて、鋏のように刃先だけの細かい爪切り操作が可能である点で昨今、注目されている。【０００３】  特許文献１には、それぞれに刃部が形成された一対の刃体と、前記刃体を保持する刃体保持部と、前記刃体保持部に連設された把手部と、を有する２つの爪切り片からなり、前記爪切り片それぞれは、前記把手部を介して一方の刃部を他方の刃部に当接させる動作、又は、一方の刃部から他方の刃部を離脱させる動作を行えるように回動可能に軸支された構成とされている。【０００４】  しかしながら、特許文献１を含めた従来のニッパータイプの爪切りは、爪を切ることに特化していたが、例えば爪のいわゆる甘皮を処理する構造とはなっていなかった。
【先行技術文献】
【特許文献】
【０００５】
【特許文献１】特開２０２０−１３０８２４号公報
【考案の概要】
【考案が解決しようとする課題】
【０００６】  本考案は、ニッパータイプの爪切りにおいて、その利便性を損なうことなく、さらに機能を付することを課題とする。
【課題を解決するための手段】
【０００７】  上記課題を克服するために、本考案は、２部材を一対とした爪を切断する刃部と、これら刃部の各々に連続的に設けられてここで両者が交差する可動部と、各々の前記可動部同士を回動させる軸部と、前記可動部の各々に連続的に設けられて前記刃部による爪の切断操作を行う把持部とから構成された爪切りにおいて、操作部の一方又は両方に、ネイルプッシャーを形成する構成とした。
【考案の効果】
【０００８】  本考案によれば、爪はニッパータイプなので、切断後の爪の形状を細かく使用者の思うようにすることができると共に、操作部という本来的に操作のために握る部分にネイルプッシャーを設けることで、爪切りという１つの道具において、持ちやすくかつ操作しやすい状態で甘皮の処理という新たな機能を付加して使うことができる。
【図面の簡単な説明】
【０００９】
【図１】本考案の爪切りの斜視図である。
【図２】本考案の爪切りの、（ａ）は正面図、（ｂ）は背面図である。
【図３】本考案の爪切りの、（ａ）は平面図、（ｂ）は底面図である。
【図４】本考案の爪切りの、（ａ）は右側面図、（ｂ）は左側面図である。
【図５】本考案の爪切りにより爪を切る状況を示す図である。
【図６】本考案の爪切りにより甘皮処理を行っている状況を示す図である。
【考案を実施するための形態】
【００１０】  本考案は、ニッパータイプの爪切りにおいて、その利便性を損なうことなく、さらに機能を付するという目的を、２部材を一対とした爪を切断する刃部と、これら刃部の各々に連続的に設けられてここで両者が交差する可動部と、各々の前記可動部同士を回動させる軸部と、前記可動部の各々に連続的に設けられて前記刃部による爪の切断操作を行う把持部とから構成された爪切りにおいて、操作部の一方又は両方に、ネイルプッシャーを形成することで実現した。
【００１１】  付加機能として、例えば、やすりを設けるとしても、従来の爪切りのように操作部分を表裏反転させる構造を採用すると操作部の表裏反転部において刃部への力のかけ方が不均衡となる可能性があった。操作部の表側（互いの操作部が離反する方向の面）にやすりを設けるとしても、やすりのざらついた面が露出して、さらにはやすりの目の間に爪の削り片が露出して、見栄えが悪くなる可能性があった。また、何よりニッパータイプの爪切りであれば、やすりが不要なほど細かく自在に切断後の爪の形状にできるので、付加機能としてのやすりは採用しなかった。
【００１２】  そこで、検討した結果、甘皮処理を行うネイルプッシャーを設けることとした。このネイルプッシャーを設ける場合には、ネイルプッシャーの面が外側に露出すると、圧迫感や刃物としての恐怖感を与えかねないので、互いの操作部が対面する内側に設けることとした。また、こうすることで、結果的に持ちやすく、操作しやすい状態となった。
【実施例】
【００１３】  本考案の爪切りの実施例について図１〜図６を参照して説明する。本考案の爪切り１は金属製でなり、概略構成として、刃部２、可動部３、軸部４、把持部５とから構成されている。刃部２、可動部３、把持部５は、各々、刃部２ａ，２ｂ（両者を総称する場合は刃部２と記す）、可動部３ａ，３ｂ（両者を総称する場合は可動部３と記す）、把持部５ａ，５ｂ（両者を総称する場合は把持部５と記す）のように２部材一対とされている。【００１４】  刃部２ａ，２ｂは、図２に示すように正面視で、先端（刃先）から後端に向けて、かつ正面から背面に向かう方向に、全体に丸みを帯びており、使用者に刃の圧迫感、恐怖感を与えないように、また、全体を爪や指先の肌に沿って動かしやすいように配慮した形状としている。【００１５】  また、刃部２ａ，２ｂの裏面（背面）側は、互いの刃部２ａ、２ｂが接触する側（切断側）と反対側に壁面２ｃ、２ｄが形成されており、図５に示すように爪を切った際に爪が容易に周囲へ飛び散らないように考慮されている。【００１６】  刃部２ａ、２ｂの先端とは反対方向において、可動部３ａ，３ｂがそれぞれ一体的に設けられており、また、可動部３ａ，３ｂの刃部２ａ，２ｂとは反対側において、把持部５ａ，５ｂがそれぞれ一体的に設けられている。【００１７】  刃部２ａ、可動部３ａ、把持部５ａは上記のとおり一体とされ、以下、「一方体１Ａ」と言うこととする。また、刃部２ｂ、可動部３ｂ、把持部５ｂは上記のとおり一体とされ、「他方体１Ｂ」と言うこととする。そして、一方体１Ａと他方体１Ｂとは、互いの可動部３ａ，３ｂが軸部４において、互いを所定角度で交差している。【００１８】  可動部３ａ，３ｂは交差する部位の厚みが互いに全体厚みの半分とされており、この可動部３ａ，３ｂを重ねて中央部において軸部４で枢支することで、爪切り１は、把持部５ａ，５ｂを互いに接近するように握る操作をすると、対称的に刃部２ａ，２ｂの刃同士が接触して、切断状態となる。【００１９】  可動部３ａ、３ｂの下端（把持部５ａ，５ｂ方向）の間には、ばね３Ａが設けられている。このばね３Ａは、自然長で伸長状態とされ、上記のように把持部５ａ，５ｂを互いに接近するように握る操作（刃部２ａ，２ｂによる切断操作）をすると短縮状態となり、握り操作を緩めると伸長状態に復元し、把持部５ａ，５ｂが互いに離間（刃部２ａ，２ｂが開く）こととなる。【００２０】  また、例えば本例では、一方体１Ａにおける可動部３ａの側面位置には、前記ばね３Ａによる、軸部４を中心とした一方体１Ａと他方体１Ｂの所定角度以上の回動を禁止するストッパピン３Ｂが設けられている。このストッパピン３Ｂは、他方体１Ｂの可動部３ｂの厚みに係合することで図１〜図４に示す状態でばね３Ａによる一方体１Ａと他方体１Ｂにおける把持部５ａ，５ｂの互いの過度な開きを阻止すると共に過度な開きによる（軸部４側の把持部５ａ，５ｂの間にその付勢力で介在させた）ばね３Ａの脱落を防止している。【００２１】  上記構成において、爪切り１は、他方体１Ｂにおける把持部５ｂにネイルプッシャー５Ａを設けている。このネイルプッシャー５Ａは、把持部５ｂにおいて、把持部５ａの対抗面側（内側）に設けられ、内側の厚みを端部に向けて鋭角に削いで形成している。【００２２】  この理由は、外側に設けると図４に示すように右側面視、左側面視が対称にならず、見栄えに劣ること、また、爪に当てる側は内側となるが、このとき、ネイルプッシャー５Ａが外側にあると、一方端１Ａの把持部５ａが爪と目線の間に入ってしまい作業がしにくいこと、さらに、作業上、持ちにくいこと、から内側に設けている。【００２３】  以上の構成とされた爪切り１は、図５に示すように、爪を切る場合は、壁面２ｃ，２ｄが使用者側に（つまり爪との接触する側とは反対側）に向けて、刃部２ａ，２ｂの間に爪を挟み込んで、把持部５ａ，５ｂを握るようにして互いを接近させることで、刃部２ａ，２ｂが閉じて切断する。【００２４】  そして、本考案の爪切り１は、爪を切るに最適であるのはもちろんのこと、把持部５ｂにネイルプッシャー５Ａを設けているから、図６に示すように、甘皮を上手く爪の生え際へ押し込むことができる。このとき、ネイルプッシャー５Ａは、操作部５ｂの内側に設けているから、操作部５ａ，５ｂ間に操作しようとする手を入れて、操作部５ｂを持って指（爪）と、目線との間に何らの障害物がないので、確実に操作することができると共に、ネイルプッシャー５Ａの尖った部分が露出しないので、爪切りが刃物であるという恐怖感を与えることが抑制される。【００２５】  なお、上記では、ネイルプッシャー５Ａは、操作部５ｂに設けたが、当然に操作部５ａに設けてもよい。また、例えば操作部５ｂに設けたネイルプッシャー５Ａとは角度を異ならせたネイルプッシャーを操作部５ａに設けて、つまり両方の操作部５ａ，５ｂに設けてもよい。
【符号の説明】
【００２６】１  爪切り
１Ａ  一方体
１Ｂ  他方体
２  刃部
２ａ  刃部
２ｂ  刃部
３  可動部
３ａ  可動部
３ｂ  可動部
４  軸部
５  把持部
５Ａ  ネイルプッシャー
５ａ  把持部
５ｂ  把持部
【図１】
0003230278.tif 000003
【図２】
0003230278.tif 000004
【図３】
0003230278.tif 000005
【図４】
0003230278.tif 000006
【図５】
0003230278.tif 000007
【図６】
0003230278.tif 000008